(57)【要約】【課題】温度変化や経時変化等に対応可能とすることで、遊技に支障が出るのを防止して遊技者の興趣が低下するのを抑制することができる遊技機を提供する。【解決手段】パチンコ機に、遊技領域３７に対応する位置に配置された貫通口２１２、及び貫通口２１２内に向かって突出する複数の突出片２１３を有した枠状のベース枠体２１０と、ベース枠体２１０の前面に配置され遊技領域３７を区画形成すると共に遊技領域３７内に遊技球を案内する案内レール７８を有した前構成部材７９と、前構成部材７９とベース枠体２１０の突出片２１３とで前後方向に挟持され、貫通口２１２内に挿入されると共に貫通口２１２の内周との間で所定量のクリアランスが形成可能な外周形状とされた透明樹脂からなる板状のベース本体２１１とを有した遊技盤５を具備させる。【選択図】図１１
2011240184.tif 000002
【特許請求の範囲】
【請求項１】
遊技者の操作によって遊技媒体が打ち込まれる遊技領域の一部又は全部に対応する位置に配置され前後方向に貫通する貫通口、及び該貫通口内に向かって突出する複数の突出片を有した枠状のベース枠体と、
該ベース枠体の前面に配置され、前記遊技領域を区画形成すると共に該遊技領域内に遊技媒体を案内する案内レールを有した前構成部材と、
該前構成部材と前記ベース枠体の前記突出片とで前後方向に挟持され、前記貫通口内に挿入されると共に該貫通口の内周との間で所定量のクリアランスが形成可能な外周形状とされた透明樹脂からなる板状のベース本体と
を有した遊技盤を具備することを特徴とする遊技機。
【発明の詳細な説明】
【技術分野】
【０００１】
本発明は、ぱちんこ遊技機（一般的に「パチンコ機」とも称する）や回胴式遊技機（一般的に「パチスロ機」とも称する）等の遊技機に関するものである。
【背景技術】
【０００２】
従来より、パチンコ機等の遊技機において、遊技球等の遊技媒体が打ち込まれる遊技領域の略中央に所定の演出画像を表示する演出表示装置を配置したものが知られている。この種の遊技機では、近年、演出表示装置が大型化する傾向があり、演出表示装置の大型化に伴って遊技媒体が流下する遊技領域が狭くなり、遊技媒体による面白味が低下する問題があった。そこで、遊技盤の一部又は全部を透明部材で構成し、その透明部材に障害釘や入賞口等を設けて遊技領域とすると共に、遊技盤の後側に配置された演出表示装置の演出画像が透明部材を介して遊技者から見えるようにしたものが提案されている（例えば、特許文献１、及び特許文献２）。
【先行技術文献】
【特許文献】
【０００３】
【特許文献１】特開平７−２５０９５４号公報
【特許文献２】特開２００５−２８１１９号公報
【発明の概要】
【発明が解決しようとする課題】
【０００４】
しかしながら、従来の遊技機では、ベニア合板からなる遊技盤ベースに設けられた開口部に、樹脂からなる透明部材が嵌合固定されているので、遊技盤ベースと透明部材の物性の違いによって、気温等による温度変化や経時変化等により相対的に透明部材が伸縮し、それらの間に隙間ができたり、互いに押圧しあって歪みが発生したりして、透明部材にガタ付が発生したり、透明部材が脱落したり、或いは、透明部材や遊技盤ベースが歪により変形したりするような異常が発生する恐れがある。そして、その異常の発生によって、遊技媒体が意図しない動きをしたり、遊技機が破損したり、遊技を中断しなければならない状態となったりして、遊技に支障が出て遊技者の興趣を低下させてしまう恐れがある。
【０００５】
そこで、本発明は、上記の実状に鑑み、温度変化や経時変化等に対応可能とすることで、遊技に支障が出るのを防止して遊技者の興趣が低下するのを抑制することができる遊技機の提供を課題とするものである。
【課題を解決するための手段】
【０００６】
手段１：遊技機において、
「遊技者の操作によって遊技媒体が打ち込まれる遊技領域の一部又は全部に対応する位置に配置され前後方向に貫通する貫通口、及び該貫通口内に向かって突出する複数の突出片を有した枠状のベース枠体と、
該ベース枠体の前面に配置され、前記遊技領域を区画形成すると共に該遊技領域内に遊技媒体を案内する案内レールを有した前構成部材と、
該前構成部材と前記ベース枠体の前記突出片とで前後方向に挟持され、前記貫通口内に挿入されると共に該貫通口の内周との間で所定量のクリアランスが形成可能な外周形状とされた透明樹脂からなる板状のベース本体と
を有した遊技盤を具備する」ものであることを特徴とする。
【０００７】
ここで、「ベース枠体」としては、「肉抜きされた形態の樹脂材からなるもの」、「無垢（中実）の樹脂材からなるもの」、「適宜の木材からなるベニヤ合板からなるもの」、「適宜の木材を用いた集成材からなるもの」、等が挙げられる。
【０００８】
また、「透明樹脂」としては、「ポリカーボネート樹脂」、「ポリアリレート樹脂」、「アクリル樹脂」、「メタクリル樹脂」、等が挙げられる。
【０００９】
ところで、透明樹脂からなるベース本体をベース枠体（例えば、遊技盤ベース）の貫通口に嵌合固定するのではなく、貫通口に接着固定することが考えられるが、この場合、ベース枠体とベース本体とを組付ける工程が増加すると共に、遊技機を分別廃棄する際に、接着固定されているとベース枠体とベース本体とを分解する手間が増加する問題がある。
【００１０】
また、ベース枠体とベース本体とを接着固定したり、ビスやボルト等によるネジ固定したりすることが考えられる。しかしながら、この場合、ベース枠体とベース本体とが異なる材料で形成されているので、夫々の温度変化や経年変化の仕方が異なり、特に伸縮率が異なると、その伸縮差により接着固定部分やネジ固定部分に力が作用し、固定部分での固定が外れたり、ベース枠体やベース本体が歪みで歪んだりして、不具合が発生する恐れがある。
【００１１】
手段１の構成によると、遊技媒体の打ち込まれる遊技領域の一部又は全部に対応するような貫通口、及び貫通口内に形成された複数の突出片を有した枠状のベース枠体と、遊技領域を区画し遊技媒体を遊技領域へ案内する案内レールを有した前構成部材と、ベース枠体の貫通口に挿入されると共に突出片と前構成部材とで挟持され貫通口との間で所定量のクリアランスが形成可能とされた透明樹脂からなる板状のベース本体とを有した遊技盤を具備するものである。
【００１２】
これにより、ベース本体がベース枠体と前構成部材とで挟持されると共に、貫通口の内周とベース本体の外周との間にクリアランスが形成されているので、温度変化や経時変化によりベース本体が伸縮しても、ベース本体がベース枠体の貫通口から脱落したりガタ付いたり、或いはベース本体とベース枠体とが互いに押圧しあって歪みが発生したりするような異常が発生するのを防止することができ、異常の発生により遊技媒体が意図しない動きをしたり、ベース本体やベース枠体等が破損したり、遊技を中断しなければならない状態となったりするのを防止して、遊技者の興趣が低下するのを抑制することができる。
【００１３】
また、貫通口の内周寸法、或いは、ベース本体の外周寸法を適宜変更するだけで、所定量のクリアランスを容易に形成することができるので、クリアランスの形成にかかる手間を簡略化することができ、コストが増加するのを抑制することができる。
【００１４】
また、ベース本体がベース枠体の突出片と前構成部材とで挟持されているので、遊技機の廃棄等により分解する際に、遊技盤からベース本体を容易に分解することができ、廃棄等にかかる手間を簡略化することができる。また、接着剤やビス等を用いて直接ベース本体をベース枠体に固定していないので、伸縮率の異なる材料でベース本体やベース枠体を構成しても、温度変化や経時変化等によりベース本体等が歪んだりするのを防止することができる。つまり、ベース本体を透明樹脂としても遊技盤に不具合が発生するのを防止することができるので、透明なベース本体により、遊技媒体の流下する遊技領域を狭めることなく、より大型の演出表示手段（演出表示装置）を備えた遊技機を実現させることができ、遊技者の興趣を高められるものとすることができる。
【００１５】
更に、ベース本体をベース枠体の貫通口に挿入させるようにしているので、ベース本体の厚さをベース枠体の厚さ内に収めることができ、ベース本体等を有した遊技盤全体の厚さが増加するのを抑制することができる。つまり、本発明に係る遊技盤の大きさを、従来の遊技機における遊技盤と同じ大きさとすることができるので、遊技盤以外の部分を従来のもと流用することができ、透明な遊技盤としても遊技機にかかるコストが増加するのを抑制することができる。
【００１６】
ところで、ベース本体を押出し成形した透明樹脂板により構成した場合、その透明樹脂板には、肉眼では視認できないほどの無数の微小な凸条や凹条が押出し方向に沿って形成されており、ベース本体に歪み等の応力が作用すると、これら無数の凸条等が歪んで光の屈折や反射が場所により異なって、その表面に光の干渉縞が発生し、ベース本体の後方側が見辛くなる問題が発生する。
【００１７】
しかしながら、本手段によると、貫通口とベース本体との間にクリアランスが形成されているので、温度変化や経時変化等により透明樹脂板からなるベース本体が伸縮しても、貫通口の内周とベース本体の外周とが当接して互いに押圧しあうのを防止して、ベース本体に歪み等の応力がかかるのを防止することができるので、その応力によりベース本体に干渉縞が発生するのを防止することができ、干渉縞によりベース本体の後方側が見辛くなるのを防止することができる。
【００１８】
なお、ベース本体の前面とベース枠体の前面とを略面一としても良く、これにより、透明樹脂からなるベース本体を遊技領域の一部とした場合でも、遊技領域内におけるベース本体とベース枠体との間に前後方向の段差が生じるのを可及的に抑制することができ、遊技媒体の動きを阻害するのを防止して、遊技者の興趣が低下するのを防止することができる。
【００１９】
また、ベース本体の厚さは、ベース枠体の厚さと略同じ厚さとしても良いし、ベース枠体の厚さよりも薄いものとしても良く、ベース枠体よりも薄くした場合、透明樹脂の量を減らすことができ、ベース本体の重量を低減させることができると共に、ベース本体にかかるコストを低減させることができる。なお、「所定量のクリアランス」としては、０〜１０ｍｍの間とすることが望ましく、更には、１〜３ｍｍの間とすることが望ましい。これよりも小さいと、ベース本体が伸びた時にベース本体とベース枠体とが強く接触して力が作用し遊技盤が歪む恐れがあるためであり、これよりも大きいと、ベース本体が縮んだ時にベース本体とベース枠体との間の隙間が大きくなりすぎてガタ付等が発生する恐れがあるからである。
【００２０】
更に、ベース枠体の突出片を配置する位置としては、遊技者から視認され難い位置に配置することが望ましく、これにより、突出片によってベース本体の後方に配置される演出表示手段や装飾部材等が遮られるのを防止することができ、演出表示手段等を良好に視認させることができる。なお、突出片を遊技領域内にかかるように配置する場合、突出片の前側に、役物や装飾部材等を配置しても良く、突出片を見え難くすることができる。
【００２１】
また、ベース枠体の厚さを従来の遊技機における遊技盤ベースの厚さと略同じ厚さとしても良く、これにより、遊技機における遊技盤以外の部分を従来のものと共通化することができると共に、従来と同じ製造ラインに載せることができ、製造にかかるコストが増加するのを抑制することができる。
【００２２】
手段２：手段１の構成において、
「前記ベース本体は、
前記ベース枠体又は前記前構成部材によって、移動不能に固定される一つの不動固定部と、板状の面が延びる方向に移動可能に固定される少なくとも一つの可動固定部とを備えている」ものであることを特徴とする。
【００２３】
ここで、「不動固定部」としては、「ベース枠体又は前構成部材に形成された突出ピンと嵌合する嵌合孔からなるもの」、「ベース枠体又は前構成部材に形成された係止部に係止される被係止部からなるもの」、等が挙げられる。また、「可動固定部」としては、「ベース枠体又は前構成部材に形成された突出ピンを挿入可能な長孔からなるもの」、「ベース枠体又は前構成部材に形成された係止部がスライド可能に係止される被係止部からなるもの」、等が挙げられる。なお、可動固定部における可動方向としては、ベース本体の伸縮方向に対応した方向とすることが望ましく、例えば、上下方向、左右方向、等の他、不動固定部を中心とした放射方向、等が挙げられる。
【００２４】
手段２の構成によると、ベース本体に、ベース枠体又は前構成部材に固定するための一つの不動固定部と、少なくとも一つの可動固定部とを備えるようにしたものである。
【００２５】
これにより、ベース本体がベース枠体と前構成部材とに挟持されるだけでなく、不動固定部や可動固定部によっても固定することができるので、ベース本体をより確実に固定することができ、ベース本体が脱落したりガタついたりするのを防止することができる。
【００２６】
また、不動固定部を一つとし可動固定部を一つ以上としており、ベース本体等が温度変化や経時変化等によって伸縮しても、可動固定部において固定位置が可動（スライド）して伸縮が許容されるので、ベース本体が伸縮しても、不動固定部や可動固定部に伸縮による応力が作用するのを防止して、応力がかかることでベース本体が歪むのを防止することができる。
【００２７】
手段３：手段２の構成において、
「前記ベース本体は、
前記不動固定部が前記ベース枠体の前記突出片に形成された突出ピンと嵌合する嵌合孔とされ、且つ、前記可動固定部が前記突出ピンを挿入可能な長孔とされている」ものであることを特徴とする。
【００２８】
手段３の構成によると、ベース本体の不動固定部をベース枠体の突出片に形成された突出ピンと嵌合する嵌合孔とし、可動固定部を突出ピンを挿入可能な長孔としたものである。これにより、ベース枠体の貫通口内にベース本体を挿入する際に、ベース枠体の突出ピンにベース本体の嵌合孔や長孔を挿入させるだけでベース本体をベース枠体に容易に固定させることができ、ベース本体を確実に固定すると共にベース本体の脱着を容易なものとすることができる。
【００２９】
また、ベース枠体の突出片に突出ピンを形成すると共に、ベース本体に嵌合孔と長孔を穿設するだけで、簡単に不動固定部と可動固定部とを備えることができ、ベース本体の固定に係る構成を簡略化することができる。
【００３０】
手段４：手段１から手段３までの何れか一つの構成において、
「前記ベース枠体の前面と、前記ベース本体の前面とが、略面一とされている」ものであることを特徴とする。
【００３１】
手段４の構成によると、ベース本体の前面とベース枠体の前面とを略面一としたものである。これにより、透明樹脂からなるベース本体を遊技領域の一部とした場合でも、遊技領域内におけるベース本体とベース枠体との間に前後方向の段差が生じるのを可及的に抑制することができ、遊技媒体の動きを阻害するのを防止して、遊技者の興趣が低下するのを防止することができる。
【００３２】
手段５：手段１から手段４までの何れか一つの構成において、
「前記ベース本体は、
押出し成形された透明樹脂板の押出し方向が、上下方向に対して交わる方向に配置されている」ものであることを特徴とする。
【００３３】
ところで、ベース本体に用いる透明樹脂を、押出し成形された透明樹脂板を用いた場合、その透明樹脂板には、肉眼では視認できないほどの無数の微小な凸条や凹条が押出し方向に沿って形成されており、この無数の凸条等の存在により、ベース本体の後方に配置される演出表示手段や装飾部材（装飾体）の装飾印刷等の微小なドットマトリックスと干渉してモアレが発生し、ベース本体の後方に配置された演出表示手段に表示された演出画像等が見辛くなる問題がある。特に、透明樹脂板の押出し方向と、微小なドットの配列方向とが互いに略一致する方向となるほど、モアレが発生し易くなる。
【００３４】
手段５の構成によると、透明樹脂板の押出し方向が上下方向に対して交わる方向となるようにベース本体が形成されているものである。これにより、ベース本体を構成する透明樹脂板の押出し方向が上下方向に対して交わる方向、つまり、押出し方向が上下方向以外の方向となるように形成されているので、例えば、ベース本体の後方に演出表示手段や装飾部材等を配置した場合、透明樹脂板と演出表示手段や装飾部材等のドットマトリックスとが干渉して、モアレが発生するのを可及的に抑制することができ、モアレにより演出表示手段や装飾部材等が見辛くなるのを防止することができる。
【００３５】
また、ベース本体を構成する透明樹脂板の押出し方向を上下方向に対して交わる方向としているので、ベース本体の後方に演出表示手段や装飾部材等を配置しても、モアレが発生するのを抑制することができるので、ベース本体の後方に配置された演出表示手段による演出画像を良好に視認させることができ、演出画像を楽しませることができると共に、ベース本体の後方に演出表示手段等を配置することで遊技領域を可及的に広くすることができ、遊技者の興趣が低下するのを防止することができる。
【００３６】
なお、透明樹脂板の押出し方向を配置する方向としては、上下方向に対して略４５度の方向となるようにすることが望ましく、演出表示手段や装飾部材等のドットマトリックスに、水平方向の成分を多く含んだものにも対応させることができ、モアレの発生を効果的に抑制することができる。
【００３７】
手段６：手段１から手段５までの何れか一つの構成において、
「前記ベース枠体は、
所定の樹脂材からなり、後面側から肉抜きされた形態に形成されている」ものであることを特徴とする。
【００３８】
手段６の構成によると、ベース枠体を、後面側から肉抜きされた形態に形成された樹脂材とするものである。これにより、ベース枠体を軽量化することができ、従来のベニア合板からなるものと比較して、遊技盤の重量が増加するのを抑制することができる。また、ベース枠体に樹脂材を用いているので、射出成形等により肉抜きされた形態に容易に形成することができる。
【００３９】
手段７：手段１から手段６までの何れか一つの構成において、
「前記ベース本体を通して遊技者から視認可能となるように前記遊技盤の後方に配置され、所定の演出画像が表示可能な演出表示手段、前記遊技領域に打ち込まれた遊技媒体と接触して遊技媒体の動きを変化させる後役物、及び遊技媒体とは接触せず所定の装飾演出動作をする可動装飾体の少なくとも一つを更に備えている」ものであることを特徴とする。
【００４０】
ここで、「所定の演出画像」とは、キャラクタ、背景及び図柄等を静止画や動画として、或る動きをさせたり、ストーリー性のある表示をさせたりした表示画像（表示態様）のことである。なお、「キャラクタ」とは、図柄列及び背景以外の画像を意味しており、小説・漫画・映画・演劇などの登場人物、動物、植物、又は小道具類、もしくはこの遊技機のために作成された仮想上の人物、動物、植物、又は小道具類等を挙げられる。また、「図柄」とは、数字や記号、あるいはそれらと絵柄との組合わせ等からなる演出用の図柄である。
【００４１】
また、「演出表示手段」としては、「液晶ディスプレイ（ＬＣＤ）」、「ＣＲＴ」、「ドットマトリックス」、「発光ダイオード（ＬＥＤ）」、「７セグメントＬＥＤ」、「エレクトロルミネセンス（ＥＬ）」、「蛍光表示管」、「白熱ランプ」、「プラズマディスプレイ（ＰＤＰ）」、「レーザーディスプレイ」、等が挙げられる。
【００４２】
更に、「後役物」としては、「遊技媒体の当接により回転するもの（例えば、風車など）」、「電動により一つ又は複数の開閉片が開閉するもの（例えば、電動チューリップ、可変入賞口など）」、「遊技媒体を複数の方向に振り分ける振分装置からなるもの」、等が挙げられる。
【００４３】
手段７の構成によると、遊技盤の後方に、透明樹脂からなるベース本体を通して視認可能となるように、演出表示手段、後役物、及び可動装飾体の少なくとも一つが配置されているものである。
【００４４】
これにより、ベース本体の後方に演出表示手段等を備えるようにしても、上記したように、ベース本体を透明樹脂で構成することによって起因するガタ付や歪み等の異常が発生するの効果的に防止することができるので、ベース本体の後方に備えられた演出表示手段等を用いて遊技者をより楽しませることができ、遊技者の興趣が低下するのを抑制することができる。
【００４５】
また、遊技盤つまりベース本体の後方に後役物を配置した場合、ベース本体の前面側だけでなく、後面側も遊技媒体が流通する遊技領域とすることが可能となり、ベース本体の前面側と後面側とで略同時に流下する遊技媒体の動きを視認させることができ、遊技者の関心を強く引き付けることができると共に、従来の遊技機よりも広い遊技領域を有した遊技機とすることができ、より遊技者を楽しませて興趣の高められるものとすることができる。
【００４６】
手段８：遊技機において、
「遊技者の操作によって遊技媒体が打ち込まれる遊技領域の一部又は全部に対応する位置に配置され前後方向に貫通する貫通口、及び該貫通口内に向かって突出する複数の突出片、少なくとも二つの該突出片に形成された突出ピンを有し、後面側から肉抜きされた形態で所定の樹脂材からなる枠状のベース枠体と、
該ベース枠体の前面に配置され、前記遊技領域を区画形成すると共に該遊技領域内に遊技媒体を案内する案内レールを有した前構成部材と、
該前構成部材と前記ベース枠体の前記突出片とで前後方向に挟持されると共に、前記貫通口内に挿入され、該貫通口の内周との間で所定量のクリアランスが形成可能な外周形状で、押出し成形された透明樹脂板の押出し方向が上下方向に対して交わる方向に配置された板状とされ、前記ベース枠体によって移動不能に固定され前記突出ピンと嵌合する嵌合孔からなる一つの不動固定部、及び前記ベース枠体によって板状の面が延びる方向に移動可能に固定され前記突出ピンを挿入可能な長孔からなる少なくとも一つの可動固定部を有したベース本体と
を備えた遊技盤、
及び、該前記遊技盤の後方に前記ベース本体を通して遊技者から視認可能となるように配置され、少なくとも、所定の演出画像が表示可能な演出表示手段、前記遊技領域に打ち込まれた遊技媒体と接触して遊技媒体の動きを変化させる後役物、及び遊技媒体とは接触せず所定の装飾演出動作をする可動装飾体の何れか一つ
を具備する」ものであることを特徴とする。
【００４７】
手段８の構成によると、遊技媒体の打ち込まれる遊技領域の一部又は全部に対応するような貫通口、貫通口内に形成された複数の突出片、突出片に形成された突出ピンを有し、樹脂材からなり後面側から肉抜きされた枠状のベース枠体と、遊技領域を区画し遊技媒体を遊技領域へ案内する案内レールを有した前構成部材と、ベース枠体の貫通口に挿入された状態で突出片と前構成部材とで挟持されると共に、貫通口との間に所定量のクリアランスが形成可能な外周形状で、押出し方向が上下方向に対して交わる方向に配置され突出ピンと嵌合する嵌合孔及び長孔を備えた透明樹脂板からなるベース本体とを有した遊技盤、及び、ベース本体を通して遊技盤の後方に配置され、少なくとも演出表示手段、後役物、可動装飾体の何れか一つを具備するものである。
【００４８】
これにより、ベース本体がベース枠体と前構成部材とで挟持されると共に貫通口の内周とベース本体の外周との間にクリアランスが形成されているので、温度変化や経時変化によりベース本体が伸縮しても、ベース本体がベース枠体の貫通口から脱落したりガタ付いたり、或いはベース本体とベース枠体とが互いに押圧しあって歪みが発生したりするような異常が発生するのを防止することができ、異常の発生により遊技媒体が意図しない動きをしたり、ベース本体やベース枠体等が破損したり、遊技を中断しなければならない状態となったりするのを防止して、遊技者の興趣が低下するのを抑制することができる。
【００４９】
また、貫通口の内周寸法、或いは、ベース本体の外周寸法を適宜変更するだけで、所定量のクリアランスを形成することができるので、クリアランスの形成にかかる手間を簡略化することができ、コストが増加するのを抑制することができる。
【００５０】
また、ベース本体がベース枠体の突出片と前構成部材とで挟持されているので、遊技機の廃棄等により分解する際に、遊技盤からベース本体を容易に分解することができ、廃棄等にかかる手間を簡略化することができる。また、接着剤やビス等を用いて直接ベース本体をベース枠体に固定していないので、伸縮率の異なる材料でベース本体やベース枠体を構成しても、温度変化や経時変化等によりベース本体等が歪んだりするのを防止することができる。つまり、ベース本体を透明樹脂としても遊技盤に不具合が発生するのを防止することができるので、透明なベース本体により、遊技媒体の流下する遊技領域を狭めることなく、より大型の演出表示手段（演出表示装置）を備えた遊技機を実現させることができ、遊技者の興趣を高められるものとすることができる。
【００５１】
更に、貫通口とベース本体との間にクリアランスが形成されているので、温度変化や経時変化等により透明樹脂板からなるベース本体が伸縮しても、貫通口の内周とベース本体の外周とが当接して互いに押圧しあうのを防止して、ベース本体に歪み等の応力がかかるのを防止することができるので、その応力によってベース本体に干渉縞が発生するのを防止することができ、干渉縞によりベース本体の後方側が見辛くなるのを防止することができる。
【００５２】
また、ベース本体がベース枠体と前構成部材とに挟持されるだけでなく、ベース枠体の突出ピンを嵌合や挿入する嵌合孔からなる不動固定部や長孔からなる可動固定部によっても固定することができるので、ベース本体をより確実に固定することができ、ベース本体が脱落したりガタついたりするのを防止することができる。また、不動固定部を一つとし可動固定部を一つ以上としており、ベース本体等が温度変化や経時変化等によって伸縮しても、可動固定部において固定位置が可動（スライド）して伸縮が許容されるので、ベース本体が伸縮しても、不動固定部や可動固定部に応力などがかかるのを防止して、応力によりベース本体やベース枠体等が歪むのを防止することができる。
【００５３】
また、ベース本体の前面とベース枠体の前面とを略面一としているので、透明樹脂からなるベース本体を遊技領域の一部とした場合でも、遊技領域内におけるベース本体とベース枠体との間に前後方向の段差が生じるのを可及的に抑制することができ、遊技媒体の動きを阻害するのを防止して、遊技者の興趣が低下するのを防止することができる。
【００５４】
更に、透明樹脂板の押出し方向が上下方向に対して交わる方向となるようにベース本体が形成されているので、これにより、ベース本体の後方に演出表示手段を配置しても、透明樹脂板と演出表示手段のドットマトリックスとが干渉して、モアレが発生するのを可及的に抑制することができ、モアレにより演出表示手段に表示される演出画像が見辛くなるのを防止することができる。
【００５５】
また、ベース枠体を、後面側から肉抜きされた形態に形成された樹脂材としているので、これにより、ベース枠体を軽量化することができ、従来のベニア合板からなるものと比較して、遊技盤の重量が増加するのを抑制することができる。更に、ベース本体の厚さを、ベース枠体の厚さよりも薄くしているので、これにより、ベース本体の厚さをベース枠体の厚さと略同じ厚さとしたものと比較して、その重量を軽減させることができる。
【００５６】
更に、上記のようにベース本体を透明樹脂で構成することによって起因するガタ付や歪み等の異常が発生するの効果的に防止することができるので、ベース本体の後方に備えられた演出表示手段、後役物、可動装飾体等を用いて遊技者をより楽しませることができ、遊技者の興趣が低下するのを抑制することができる。
【００５７】
手段９：手段１から手段８までの何れか一つの遊技機において、
パチンコ機であることを特徴とする。
ここで、パチンコ機とは、遊技者が遊技機に投入する媒体である投入媒体と、遊技者が行う実質的な遊技に用いられる媒体である遊技媒体とを同一のものとした遊技機であり、投入された例えば遊技球等の媒体を用いて遊技が行われるタイプの遊技機の一種である。
具体的には、「操作ハンドルの操作に対応して遊技球を発射する発射装置と、多数の障害釘、役物、表示手段等の適宜の機器が組み込まれたり、始動入賞口、大入賞口、通過口、到達口等の遊技球が入球する適宜の入球口が設けられた遊技領域と、発射装置から遊技領域に遊技球を導くレールと、遊技領域に導かれた遊技球の入球口への入球に応じたり、複数の入球口への遊技球の入球態様に応じて、所定数の遊技球を賞球として払い出す払出手段とを具備するもの」である。
【００５８】
なお、パチンコ機としては、種々のタイプのものがあり、一般に「デジパチ機」と称されるものに代表される「入球口への入球状態を検出する入球状態検出手段（遊技状態検出手段として捉えることもできる）と、入球状態検出手段によって入球が検出されると所定の抽選を行う抽選手段と、抽選手段の抽選結果に応じて特別図柄を変動させると共に変動を停止させる特別図柄表示手段とを備えたもの」や「加えて、特別図柄の変動中に、複数の図柄からなる図柄列を変動表示し、図柄列にて図柄を停止表示させたり、キャラクタや種々の物品等の表示物を描写し、表示物を動作させたりする等によって適宜の演出表示を行う演出表示手段を更に具備するもの」、一般に「ハネモノ機」と称されるものに代表される「役物内での遊技球の振分けによって抽選を行う抽選手段を備えたもの」、一般に「アレパチ機」と称されるものに代表される「例えば１６個等の所定個数の遊技球により１ゲームが行われ、１ゲームにおける複数の入球口への遊技球の入球態様に応じて所定個数の遊技球の払出しを行うもの」等を例示することができる。
【００５９】
手段９の構成によると、パチンコ機において、上述した手段のいずれかの作用効果を奏することができる。
【００６０】
手段１０：手段１から手段８までの何れか一つの遊技機において、
パチスロ機であることを特徴とする。
ここで、パチスロ機とは、投入媒体であるメダルを投入し、メダルの投入後、始動用操作手段（例えば操作レバー）の操作によって、夫々複数の図柄が描かれた複数のリールを回転させる等して、各リール等によって構成された図柄列を変動表示させるとともに、その後、停止用操作手段（例えばストップボタン）の操作に応じて各図柄列の変動表示を停止させる、といった遊技が遊技者によって行われるものである。換言すれば、停止操作機能付きのスロットマシーンとして捉えることができるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合わせが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【００６１】
手段１０の構成によると、パチスロ機において、上述した手段のいずれかの作用効果を奏することができる。
【００６２】
手段１１：手段１から手段８までの何れか一つの遊技機において、
パチンコ機とパチスロ機とを融合させてなることを特徴とする。
ここで、「パチンコ機とパチスロ機とを融合させてなる遊技機」とは、複数個（例えば５個）の遊技球を１単位の投入媒体とし、投入媒体を投入した後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合わせが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【００６３】
手段１１の構成によると、パチンコ機とパチスロ機とを融合させてなる遊技機において、上述した手段のいずれかの作用効果を奏することができる。
【発明の効果】
【００６４】
このように、本発明によれば、温度変化や経時変化等に対応可能とすることで、遊技に支障が出るのを防止して遊技者の興趣が低下するのを抑制することができる遊技機を提供することができる。
【図面の簡単な説明】
【００６５】
【図１】パチンコ機の前側全体を示す正面図である。
【図２】パチンコ機の外枠の一側に本体枠が開かれ、その本体枠の一側に更に前面枠が開かれた状態を示す斜視図である。
【図３】パチンコ機の本体枠と遊技盤とを分離して斜め右上前方から示す斜視図である。
【図４】パチンコ機の後側全体を示す背面図である。
【図５】パチンコ機の後側全体を右上後方から示す斜視図である。
【図６】図５に示すパチンコ機の斜視図から後カバー体及び各種制御基板等を取り外した状態を示す斜視図である。
【図７】パチンコ機の本体枠に各種部材が組み付けられた状態を斜め右上後方から示す斜視図である。
【図８】本体枠単体を斜め右上後方から示す斜視図である。
【図９】遊技領域を有した遊技盤の拡大正面図である。
【図１０】遊技盤を斜め前方から一部を省略して示す斜視図である。
【図１１】遊技盤の断面側面図である。
【図１２】前構成部材を取外した状態の遊技盤を示す拡大正面図である。
【図１３】一部を省略して示す遊技盤の分解斜視図である。
【発明を実施するための形態】
【００６６】
以下、本発明の一実施形態であるパチンコ遊技機（以下、単に「パチンコ機」という）を、図面に基づいて詳細に説明する。
［パチンコ機の全体構成について］  図１及び図２に基づき説明する。
図１はパチンコ機の前側全体を示す正面図であり、図２はパチンコ機の外枠の一側に本体枠が開かれ、その本体枠の一側に更に前面枠が開かれた状態を示す斜視図である。なお、図１及び図２においては遊技領域における装飾部材を省略して示している。
パチンコ機１は、外枠２、本体枠３、前面枠４、及び遊技盤５等を備えて構成されている。外枠２は、上下左右の木製の枠材によって縦長四角形の枠状に形成され、同外枠２の前側下部には、本体枠３の下面を受ける下受板６を有している。外枠２の前面の片側には、ヒンジ機構７によって本体枠３が前方に開閉可能に装着されている。なお、外枠２は、樹脂やアルミニウム等の軽金属によって形成されていてもよい。
【００６７】
［本体枠の構成について］  図１及び図３に基づき説明する。
図３はパチンコ機の本体枠と遊技盤とを分離して斜め右上前方から示す斜視図である。
本体枠３は、前枠体１１、遊技盤装着枠１２及び機構装着体１３を合成樹脂材によって一体成形することで構成されている。本体枠３の前枠体１１は、外枠２（図２参照）の前側の下受板６を除く外郭形状に対応する大きさの矩形枠状に形成されている。そして、前枠体１１の片側の上下部には、本体枠側ヒンジ具１５が固定されており、外枠２の片側の上下部に固定された外枠側ヒンジ具１４に対してヒンジピン及びヒンジ孔によって開閉回動可能に装着されている。すなわち、外枠側ヒンジ具１４、本体枠側ヒンジ具１５、ヒンジピン及びヒンジ孔によってヒンジ機構７が構成されている。
【００６８】
前枠体１１の前側において、遊技盤装着枠１２よりも下方に位置する前枠体１１の前下部左側領域にはスピーカボックス部１６が一体に形成され、そのスピーカボックス部１６の前側開口部には、同開口部を塞ぐようにしてスピーカ装着板１７が装着されている。そして、スピーカ装着板１７にはスピーカ１８が装着されている。また、前枠体１１前面の下部領域内において、その上半部分には発射レール１９が傾斜状に装着されている。また、前枠体１１前面の下部領域内の下半部分には下部前面板３０が装着されている。そして、下部前面板３０の前面の略中央部には、遊技球を貯留可能な下皿３１が設けられ、右側寄りには操作ハンドル３２が設けられ、左側寄りには灰皿３３が設けられている。なお、下皿３１には、遊技球を下方に排出するための球排出レバー３４が配設されている。
【００６９】
［前面枠の構成について］  図１及び図２に基づき説明する。
前枠体１１の前面の片側には、その前枠体１１の上端から下部前面板３０の上縁にわたる部分を覆うようにして、前面枠４がヒンジ機構３６によって前方に開閉可能に装着されている。また、前面枠４の略中央部には、遊技盤５の遊技領域３７を前方から透視可能な略円形の開口窓３８が形成されている。また、前面枠４の後側には開口窓３８よりも大きな矩形枠状をなす窓枠３９が設けられ、その窓枠３９にはガラス板、透明樹脂板等の透明板５０が装着されている。また、前面枠４の前面の略全体は、ランプ等が内設された前面装飾部材によって装飾され、同前面枠４の前面の下部には上皿５１が形成されている。詳しくは、開口窓３８の周囲において、左右両側部にサイド装飾装置５２が、下部に上皿５１が、上部に音響電飾装置５３が装着されている。サイド装飾装置５２は、ランプ基板が内部に配置され且つ合成樹脂材によって形成されたサイド装飾体５４を主体として構成されている。サイド装飾体５４には、横方向に長いスリット状の開口孔が上下方向に複数配列されており、該開口孔には、ランプ基板に配置された光源に対応するレンズ５５が組み込まれている。音響電飾装置５３は、透明カバー体５６、スピーカ５７、スピーカカバー５８、及びリフレクタ体（図示しない）等を備え、これらの構成部材が相互に組み付けられてユニット化されている。また、上皿５１の左側には、遊技者が操作可能なボタン５９が設けられている。
【００７０】
［施錠装置の構成について］  図２及び図３に基づき説明する。
前枠体１１のヒンジ機構３６に対して反対側となる自由端側の後側には、外枠２に対し本体枠３を施錠する機能と、本体枠３に対し前面枠４を施錠する機能とを兼ね備えた施錠装置７０が装着されている。すなわち、この実施形態において、施錠装置７０は、外枠２に設けられた閉止具７１に係脱可能に係合して本体枠３を閉じ状態に施錠する上下複数の本体枠施錠フック７２と、前面枠４の自由端側の後側に設けられた閉止具７３に係脱可能に係合して前面枠４を閉じ状態に施錠する上下複数の扉施錠フック７４と、パチンコ機１の前方から鍵が挿入されて解錠操作可能に、前枠体１１及び下部前面板３０を貫通して露出されたシリンダー錠７５とを備えている。そして、シリンダー錠７５の鍵穴に鍵が挿入されて一方向に回動操作されることで本体枠施錠フック７２と外枠２の閉止具７１との係合が外れて本体枠３が解錠され、これとは逆方向に回動操作されることで、扉施錠フック７４と前面枠４の閉止具７３との係合が外れて前面枠４が解錠されるようになっている。
【００７１】
［遊技盤装着枠の構成について］  図２乃至図４に基づき説明する。
図４はパチンコ機の後側全体を示す背面図である。
図２及び図３に示すように、本体枠３の遊技盤装着枠１２は、前枠体１１の後側に設けられかつ遊技盤５が前方から着脱交換可能に装着されるようになっている。遊技盤５は、遊技盤装着枠１２の前方から嵌込まれる大きさの略四角板状に形成されている（図９参照）。遊技盤５の盤面（前面）には、外レール７６と内レール７７とを備えた案内レール７８が設けられ、その案内レール７８の内側に遊技領域３７が区画形成されている。なお、発射レール１９と案内レール７８との間には、所定の隙間が設けられており、発射された遊技球が案内レール７８を逆戻りした場合には、その遊技球は、その隙間から排出され下皿３１に案内されるように構成されている。また、遊技盤５の前面には、その案内レール７８の外側領域において、合成樹脂製の前構成部材７９が装着されている。
【００７２】
一方、図４に示すように、遊技盤５の後側下部には、その中央部から下部にわたる部分において、各種入賞装置に流入した遊技球を受けかつその遊技球を所定位置まで導く集合樋としての機能とボックス装着部としての機能を兼ね備えたボックス装着台９１が設けられている。このボックス装着台９１には、音声制御基板、ランプ制御基板等の副制御基板９２が収納された副制御基板ボックス９３が装着され、その副制御基板ボックス９３の後側に重ね合わされた状態で、主制御基板９４が収納された主制御基板ボックス９５が装着されている。さらに、遊技盤５の後側に対しボックス装着台９１、副制御基板ボックス９３及び主制御基板ボックス９５がそれぞれ装着された状態において、本体枠３の遊技盤装着枠１２の前方から遊技盤５を嵌込んで装着できるように、遊技盤５の外郭より外側にはみ出すことなくボックス装着台９１、副制御基板ボックス９３及び主制御基板ボックス９５が配置されている。
【００７３】
［本体枠の機構装着体、球タンク及びタンクレールの構成について］  図７及び図８に基づき説明する。
図７はパチンコ機の本体枠に各種部材が組み付けられた状態を斜め右上後方から示す斜視図であり、図８は本体枠単体を斜め右上後方から示す斜視図である。
本体枠３の機構装着体１３には、タンク装着部１１１、レール装着部１１２、及び払出装置装着部１１３等がそれぞれ形成され、タンク装着部１１１には球タンク１１４が装着されている。球タンク１１４は、透明な合成樹脂材よりなり、島設備から供給される多数の遊技球が貯留可能な上方に開口する箱形状に形成されている。そして、球タンク１１４の遊技球の貯留状態が球タンク１１４の後側壁を透して視認可能となっている。また、球タンク１１４の底板部１１５の後側隅部には遊技球を放出する放出口１１６が形成されるとともに、底板部１１５は放出口１１６に向けて下傾する傾斜面に形成されている。
【００７４】
本体枠３の機構装着体１３には、そのタンク装着部１１１に下方に接近してレール装着部１１２が一体に形成され、そのレール装着部１１２にレール構成部材１１７が装着されることでタンクレール１１８が構成されるようになっている。すなわち、この実施形態において、レール装着部１１１は、本体枠３の上部横方向部分が所定深さ凹まされた状態で形成されており、その凹部の奥側壁をタンクレール１１８の前壁部１１９とし、その凹部の下縁部に沿って一端（図８に向かって左端）から他端（図８に向かって右端）に向けて下傾する傾斜状のレール棚１２０が形成されている。そして、レール棚１２０の横方向に延びる上向き面をレール受け部１２１としている。
【００７５】
レール装着部１１２に装着されてタンクレール１１８を構成するレール構成部材１１７は、レール装着部１１２の前壁部１１９との間にレール通路を構成する後壁部１２２と、傾斜状をなす下板部と、その下板部の上面の前後方向中央部に沿って突設されレール通路を前後複数列（この実施形態では前後２列）に区画する仕切り壁（いずれも図示しない）とを一体に備えて形成されている。このレール構成部材１１７は、レール装着部１１２に対し適宜の取付手段によって装着され、これによって、前後複数列のレール通路を備えたタンクレール１１８が構成されている。そして、球タンク１１４の放出口１１６から放出（自重によって落下）された遊技球がタンクレール１１８の前後複数列のレール通路の一端部においてそれぞれ受けられた後、遊技球が自重によってレール通路に沿って転動することでレール通路の他端部に向けて流れるようになっている。また、この実施形態において、レール構成部材１１７は、透明な合成樹脂材より形成され、これによって、レール通路内の遊技球の流れ状態が、レール構成部材１１７の後壁部１２２を透して視認可能となっている。
【００７６】
タンクレール１１８（レール装着部１１２）の前壁部１１９は、遊技盤５の後側に突出する装備品（例えば役物）における後部の上端部との干渉を避けるため第１空間部を隔てた状態で設けられている。また、この実施形態において、本体枠３の後端部となるレール棚１２０の後端と、タンクレール１１８の後壁部は、球タンク１１４の後側壁と略同一面をなしている。言い換えると、球タンク１１４の後壁部に対しタンクレール１１８の後壁部が略同一面となる位置までタンクレール１１８が遊技盤５の後面より後方に離隔して配置されている。これによって、遊技盤５の後側とタンクレール１１８の前壁部１１９との間に装備品（例えば役物）の後部との干渉を避けるための第１空間部が設けられるようになっている。
【００７７】
また、タンクレール１１８の上方には、レール通路を流れる遊技球を上下に重なることなく整列させる整流体１２３がその上部において軸１２４を中心として揺動可能に装着されている。この整流体１２３には、その中央部から下部において錘が設けられている。
【００７８】
［払出装置装着部及び球払出装置の構成について］  図７及び図８に基づき説明する。
本体枠３の機構装着体１３の片側寄りの上下方向には、次に述べる球払出装置（球払出ユニット）１２５に対応する縦長の払出装置装着部１１３が形成されている。払出装置装着部１１３は、後方に開口部をもつ凹状に形成されている。また、払出装置装着部１１３の段差状をなす奥壁部（図示しない）の所定位置には、球払出装置１２５の払出用モータ１２６（図３参照）が突出可能な開口部１２７が形成されている。
【００７９】
払出装置装着部１１３の凹部に球払出装置１２５が装着された状態において、遊技盤５との間には、第１空間部と前後方向に略同一レベルとなる第２空間部が設けられている。
これによって、レール通路と球通路とが前後方向に略同一レベルで配置されている。また、本体枠３の後端、すなわち払出装置装着部１１３の周壁部後端、レール棚１２０の後端、球タンク１１４、タンクレール１１８及び球払出装置１２５のそれぞれの後面は略同一面をなしている。
【００８０】
球払出装置１２５は、払出装置装着部１１３の凹部と略同じ大きさの縦長のボックス形状をなし、払い出しに関する各種部品が装着されることでユニット化されている。なお、球払出装置１２５は、払出装置装着部１１３の凹部の後方開口部から嵌込まれて適宜の取付手段（例えば、弾性クリップ、係止爪、ビス等の取付手段）によって装着されるようになっている。
【００８１】
また、図示しないが、球払出装置１２５は、タンクレール１１８におけるレール通路の出口にそれぞれ連通する流入口を有する球通路が前後複数列（例えば前後２列）に区画されて形成されている。また、その内部に形成された前後複数列の球通路の下流部が二股状に分岐されて前後複数列の賞球及び貸球用球通路と球抜き用球通路とがそれぞれ形成されている。そして賞球及び貸球用球通路と球抜き用球通路との分岐部には、遊技球をいずれかの通路に振り分けて払い出すための回転体よりなる払出部材（図示しない）が正逆回転可能に配設されている。
【００８２】
［本体枠の後側下部の装備について］  図３及び図４に基づき説明する。
本体枠３の前枠体１１の後側において、遊技盤装着枠１２よりも下方に位置する前枠体１１の後下部領域の片側（図４に向かって左側）には、発射レール１９の下傾端部の発射位置に送られた遊技球を発射するための発射ハンマー（図示しない）、その発射ハンマーを作動する発射モータ１２８等が取付基板１２９に組み付けられてユニット化された発射装置ユニット１３０が装着されている。また、前枠体１１の後下部領域の略中央部には、電源基板１３１を収容する電源基板ボックス１３２が装着され、その電源基板ボックス１３２の後側に重ね合わされた状態で払出制御基板１３３を収容する払出制御基板ボックス１３４が装着されている。払出制御基板１３３は、遊技球を払い出す数を記憶するＲＡＭを備え、主制御基板９４から送信される払出用信号に従って遊技球を払い出す制御信号を中継用回路基板（図示しない）に伝達して払出用モータ１２６を作動制御するようになっている。
【００８３】
［後カバー体の構成について］  図４及び図５に基づき説明する。
図５はパチンコ機の後側全体を右上後方から示す斜視図である。
遊技盤５後面に配置された表示装置制御基板ボックス１３５（図６参照）及び主制御基板ボックス９５の後端部は機構装着体１３の中央部に開口された窓開口部に向けて突出している。そして、機構装着体１３の窓開口部の一側壁を構成する側壁部と他側壁を構成する払出装置装着部１１３の片側壁との間には、不透明な合成樹脂材によって略方形の箱形状に形成された後カバー体１３６がカバーヒンジ機構１３７によって開閉並びに着脱可能に装着されている。
【００８４】
後カバー体１３６は、略四角形状の後壁部１３８と、その後壁部１３８の外周縁から前方に向けて突出された周壁部１３９とから一体に構成されている。後カバー体１３６の周壁部１３９のうち、一側の壁部１３９ａには、機構装着体１３の側壁部の上下及び中間の計３箇所に形成されたヒンジ体１４０のヒンジ孔の上方からそれぞれ着脱可能に嵌込まれるヒンジピン１４１を下向きに有するヒンジ体１４２が一体に形成されている。また、後カバー体１３６の周壁部１３９のうち、他側の壁部１３９ｂには、払出装置装着部１１３の片側壁に形成された係止孔に弾性的に係合可能な係止爪を有する弾性閉止体１４３が一体に形成されている。
【００８５】
すなわち、後カバー体１３６は、その上下及び中間のヒンジ体１４２の各ヒンジピン１４１が機構装着体１３の側壁部のヒンジ体１４０のヒンジ孔の上方からそれぞれ嵌込まれる。この状態で、ヒンジピン１４１を中心として後カバー体１３６が機構装着体１３の他側に向けて回動されながら、その弾性閉止体１４３を払出装置装着部１１３の片側壁の係止孔に差し込んで弾性的に係合させることで、機構装着体１３の後側に後カバー体１３６が閉じ状態で保持される。そして、後カバー体１３６によって、遊技盤５後面の表示装置制御基板ボックス１３５（図６参照）全体及び主制御基板ボックス９５の略中間部から上端にわたる部分が後カバー体１３６によって覆われるようになっている。これによって、主制御基板ボックス９５の上部に露出された主制御基板９４の基板コネクタ（主として表示装置制御基板と接続するための基板コネクタ）が後方から視認不能に隠蔽されている。
【００８６】
また、主制御基板ボックス９５の略中間部から下端にわたる部分は後カバー体１３６によって覆われることなく露出されている。そして、主制御基板ボックス９５の下部には、その主制御基板９４上に配置された検査用コネクタ１４４が露出されており、後カバー体１３６が閉じられた状態で主制御基板９４上の検査用コネクタ１４４に基板検査装置（図示しない）を接続して検査可能となっている。
【００８７】
後カバー体１３６には、多数の放熱孔１４５、１４６、１４７、１４８が貫設されており、これら多数の放熱孔１４５、１４６、１４７、１４８から内部の熱が放出されるようになっている。この実施形態において、後カバー体１３６には、その周壁部１３９から後壁部１３８に延びる多数のスリット状の放熱孔１４５が貫設され、後壁部１３８の略中間高さ位置から上部においては多数の長円形、楕円形等の放熱孔１４６が貫設され、後壁部１３８の下部には多数の長円形、楕円形等の放熱孔１４７と所定数の横長四角形状の放熱孔１４８が貫設されている。
【００８８】
また、横長四角形状の放熱孔１４８は、主制御基板ボックス９５の封印ねじ（封印部材）によって封印される複数の並列状の封印部１４９の列の大きさ及び配設位置に対応する大きさ及び位置に貫設されている。これによって、不透明な後カバー体１３６が閉じられた状態であっても、主制御基板ボックス９５の複数の並列状の封印部１４９が放熱孔１４８の部分において視認可能に露出される。このため、後カバー体１３６が閉じられた状態であっても、主制御基板ボックス９５の封印部１４９の封印状態を容易に視認することができる。また、不透明な合成樹脂材は、透明な合成樹脂材と比べ、リサイクル使用される合成樹脂材を材料として用いることが容易であるため、後カバー体１３６を安価に製作することができる。
【００８９】
後カバー体１３６の周壁部１３９のうち、上側壁部１３９ｃの所定位置（この実施形態では左右２箇所）には、電源コード（図示しない）を適宜に折り畳んだ状態で保持する略Ｃ字状でかつ弾性変形可能なコード保持体１５０が上方のタンクレール１１８の後壁面（レール構成部材１１７の後壁面）に向けて延出されている。このコード保持体１５０の先端部には、同コード保持体１５０を弾性変形させて電源コードを取り外すためのつまみが形成されている。
【００９０】
電源コードは、その一端が分電基板１５１の基板コネクタ１５２に取り外し可能に接続され、他端の電源プラグが電源コンセントに差し込まれる。前記したように、後カバー体１３６にコード保持体１５０を一体に形成して電源コードを保持することで、パチンコ機１を運搬、保管する際に電源コードがぶらついて邪魔になったり、異物に引っ掛かる不具合を防止することができる。
【００９１】
［本体枠の後側下部の下皿用球誘導体等の構成について］  図１及び図６に基づき説明する。
図６は、図５に示すパチンコ機の斜視図から後カバー体及び各種制御基板等を取り外した状態を示す斜視図である。
本体枠３の後下部領域の他側寄り部分（ヒンジ寄り部分）には、そのスピーカボックス部１６の後段差部の凹み部分において下皿用球誘導体１５３が装着されている。この下皿用球誘導体１５３は、球払出装置１２５の賞球及び貸球用球通路から上皿連絡路（図示しない）を経て上皿５１に払い出された遊技球が満杯になったときに、上皿連絡路の遊技球を下皿３１に導くためのものである。
【００９２】
なお、この実施形態において、下皿用球誘導体１５３の後壁外面には、インタフェース基板１５４を収納している基板ボックス１５５が装着されている。なお、インタフェース基板１５４は、パチンコ機１に隣接して設置される球貸機と払出制御基板１３３との間に介在され、球貸に関する信号を球貸機と払出制御基板１３３との間で送受信可能に電気的に接続するようになっている。
【００９３】
［遊技盤の構成について］  図９乃至図１３に基づき説明する。
図９は遊技領域を有した遊技盤の拡大正面図である。図１０は遊技盤を斜め前方から一部を省略して示す斜視図であり、図１１は遊技盤の断面側面図である。図１２は前構成部材を取外した状態の遊技盤を示す拡大正面図であり、図１３は一部を省略して示す遊技盤の分解斜視図である。
【００９４】
遊技盤５は、図示するように、枠状に形成されたベース枠体２１０と、ベース枠体２１０の枠内に挿入され透明樹脂板からなるベース本体２１１と、ベース枠体２１０及びベース本体２１１の前面に配置され、遊技者の操作によって遊技球が打ち込まれる遊技領域３７を区画形成すると共に遊技領域３７内に遊技球を案内する案内する外レール７６及び内レール７７からなる案内レール７８を備えた前構成部材７９とを主に備えている。
【００９５】
なお、図示は省略するが、ベース本体２１１には、多数の障害釘が所定のゲージ配列をなして打設されているほか、適宜位置に風車や、一般入賞口、特別入賞口、始動口、等が備えられている。
【００９６】
ベース枠体２１０は、遊技領域３７に対応する位置に配置されると共に正面視において遊技領域３７を略包含する大きさとされ前後方向に貫通する貫通口２１２と、貫通口２１２内に向かって突出し平面視で遊技領域３７内にかからないように形成された複数の突出片２１３と、及び複数の突出片２１３のうち本例では三つの突出片２１３に夫々形成された突出ピン２１４とを備えている。この突出ピン２１４は、上側の突出片２１３と、左右下側の突出片２１３に夫々前方側に突出するように形成されている（図１３参照）。
【００９７】
また、ベース枠体２１０は、後面側に開口する凹部２１５が複数形成されており、この凹部２１５により後面側から肉抜きされた形態とされ、所定の樹脂材（例えば、ポリプロピレン、ＡＢＳ樹脂など）にて成形されている（図１１参照）。なお、ベース枠体２１０の厚さＷ１は、従来のパチンコ機における遊技盤ベースの厚さと略同じ厚さの約２０ｍｍとされている。
【００９８】
ベース本体２１１は、ベース枠体２１０の貫通口２１２の内周形状と略対応した外周形状とされ、ベース枠体２１０における上側の突出ピン２１４と嵌合する嵌合孔２１６と、ベース枠体２１０における左右の突出ピン２１４が挿入され上下方向に延びる長孔２１７とを備えている。このベース本体２１１は、ポリカーボネイト樹脂、ポリアリレート樹脂、アクリル樹脂、メタクリル樹脂等の透明な樹脂を、押出し成形した透明樹脂板により形成されていると共に、その押出し方向が上下方向に対して交わる方向となるように形成されている。なお、押出し方向を上下方向に対して約４５度の方向となるように形成することが望ましい。また、ベース本体２１１の厚さＷ２は、打設される障害釘などを充分に保持することのできる必要最低限の厚さ（８〜１０ｍｍ）とされており、ベース枠体２１０の厚さＷ１の略半分の厚さとされている。
【００９９】
この遊技盤５では、枠状のベース枠体２１０の枠内、つまり、ベース枠体２１０の貫通口２１２内にベース本体２１１を挿入した状態で、前方からベース枠体２１０に前構成部材７９を固定することで、ベース本体２１１をベース枠体２１０の各突出片２１３と前構成部材７９とで挟持するようになっている。つまり、ベース本体２１１の後面側が突出片２１３と当接し、ベース本体２１１の前面側が前構成部材７９と当接することで、突出片２１３と前構成部材７９とで挟持されるようになっている。
【０１００】
図１１に示すように、本例では、ベース本体２１１の前面と、ベース枠体２１０の前面とは、略面一となるように配置されている。つまり、ベース枠体２１０の突出片２１３の前面位置が、ベース本体２１１の厚さＷ２に対応して、ベース本体２１１とベース枠体２１０の前面が略面一となる位置に配置されている。これにより、ベース枠体２１０とベース本体２１１との間で前後方向の段差が生じないようになっている。
【０１０１】
本例のベース本体２１１とベース枠体２１０とは、ベース本体２１１を貫通口２１２内に挿入する際に、ベース枠体２１０の上側の突出ピン２１４がベース本体の嵌合孔２１６と嵌合すると共に、ベース枠体２１０の左右の突出ピン２１４がベース本体２１１の左右の長孔２１７に夫々挿入され、嵌合孔２１６においては移動不能に固定され、長孔２１７においては移動可能に固定されるようになっている。つまり、嵌合孔２１６が本発明の不動固定部に、長孔２１７が本発明の可動固定部に夫々相当している。
【０１０２】
図１１及び図１２に示すように、ベース枠体２１０における貫通口２１２の内周と、ベース本体２１１の外周との間には、所定量のクリアランス（隙間）が形成されるようになっており、気温やパチンコ機１の環境温度などの温度変化や、経時変化などによるベース本体２１１やベース枠体２１０の相対伸縮が許容されて、ベース本体２１１等が歪んだりするのを防止できるようになっている。
【０１０３】
本例では、図１１に拡大して示すように、このベース枠体２１０とベース本体２１１との間のクリアランス内に、弾性部材２１８が備えられており、この弾性部材２１８は、ゴムや発泡樹脂等からなるもので、膨張可能となるように貫通口２１２の内周とベース本体２１１の外周との間に配置されている。この弾性部材２１８によって、ベース枠体２１０とベース本体２１１との間に隙間が形成されるのを防止できるようになっている。また、弾性部材２１８の前面は、ベース本体２１１及びベース枠体２１０の前面と略面一となるように配置されており、前後方向に段差が生じないようになっている。
【０１０４】
遊技盤５には、その他に、ベース枠体２１０の後面側に固定されベース本体２１１の後面側との間で遊技球が流通可能な流通空間を形成する枠状の空間形成部材２２１と、空間形成部材２２１に支持され、空間形成部材２２１の後側開口２２２を閉鎖し所定の演出画像を表示可能なＬＣＤからなる演出表示装置２２３（本発明の演出表示手段に相当）とを更に備えている。なお、この演出表示装置２２３の後側には、演出表示装置２２３等を制御する表示装置制御基板ボックス１３５が取付けられている。
【０１０５】
また、遊技盤５には、遊技領域３７の下部に設けられ遊技領域３７内から遊技球を外部へ排出するアウト口２２４に受入れられた遊技球や、入賞口等に入賞して遊技領域３７外へ排出する遊技球をパチンコ機１外部へ誘導するための球誘導路２２５を有した排出誘導部材２２６が、ベース枠体２１０の後面側の下部に取付けられている。この排出誘導部材２２６の後側には、副制御基板ボックス９３と主制御基板ボックス９５とが前から順番に取付けられている。
【０１０６】
本例の遊技盤５は、透明なベース本体２１１によって遊技領域３７の略全域において、遊技領域３７の後方が視認可能となっており、ベース本体２１１の後方に配置された演出表示装置２２３に表示される演出画像が、ベース本体２１１を通して遊技者から視認できるようになっている。また、演出表示装置２２３は、従来のパチンコ機に用いられている演出表示装置と比較して、より大型のもの（例えば、５〜２１インチ）が備えられている。更に、図示は省略するが、遊技領域３７内におけるベース本体２１１の所定位置には、遊技球が通過可能な通過口が複数設けられており、ベース本体２１１の前面側と後面側との間を遊技球が行き来でき、ベース本体２１１の後面側も遊技球が流下する遊技領域３７となっている。
【０１０７】
このように、本実施形態のパチンコ機１によると、ベース本体２１１がベース枠体２１０と前構成部材７９とで挟持されると共に、ベース本体２１１とベース枠体２１０との間にクリアランスが形成されているので、温度変化や経時変化によりベース本体２１１が伸縮しても、ベース本体２１１がベース枠体２１０の貫通口２１２から脱落したりガタ付いたり、或いはベース本体２１１とベース枠体２１０とが互いに押圧しあって歪みが発生したりするような異常が発生するのを防止することができ、異常の発生により遊技球が意図しない動きをしたり、ベース本体２１１やベース枠体２１０等が破損したり、遊技を中断しなければならない状態となったりするのを防止して、遊技者の興趣が低下するのを抑制することができる。
【０１０８】
また、ベース本体２１１の厚さＷ２を、ベース枠体２１０の厚さＷ１の略半分としているので、これにより、ベース本体２１１の厚さをベース枠体２１０の厚さと略同じ厚さとしたものと比較して、ベース本体２１１の重量を軽減させることができると共に、ベース本体２１１に用いる樹脂の量が相対的に少なくなり、これに伴って温度変化や経時変化等によるベース本体２１１の伸縮量も少なくすることができる。また、ベース本体２１１等を有した遊技盤５全体の厚さが増加するのを抑制することができるので、従来のパチンコ機における遊技盤と同じ大きさとすることが可能となり、遊技盤５以外の部分を従来のもと流用することができ、透明な遊技盤５としてもパチンコ機１にかかるコストが増加するのを抑制することができる。更に、ベース本体２１１の厚さＷ２が必要最低限の厚さとされているので、透明度が低下するのを抑制することができ、後方に配置された演出表示装置２２３に表示される演出画像を鮮明に視認させることができる。
【０１０９】
また、ベース枠体２１０の厚さＷ１を従来のパチンコ機における遊技盤ベースの厚さと略同じ厚さ（約２０ｍｍ）としているので、これにより、パチンコ機１における遊技盤５以外の部分を従来のものと共通化することができると共に、従来と同じ製造ラインに載せることができ、製造にかかるコストが増加するのを抑制することができる。
【０１１０】
更に、ベース本体２１１の厚さＷ２をベース枠体２１０の厚さＷ１の略半分とすると共に空間形成部材２２１を備えているので、ベース本体２１１の後面側に充分な広さの流通空間を確保することができ、その空間内に遊技球を流通させることで、ベース本体２１１の前面側だけでなく後面側も遊技球が流通する遊技領域３７とすることができ、遊技盤５の厚さを増加させることなく、遊技領域３７を広くすることができると共に、広い遊技領域３７によって遊技者をより楽しませられるパチンコ機１とすることができる。なお、その流通空間内に可動する装飾部材等を配置しても良く、より遊技者の興趣を高められるものとすることができる。
【０１１１】
また、空間形成部材２２１により少なくとも演出表示装置２２３を支持するようにしているので、これにより、空間形成部材２２１を介して遊技盤５に演出表示装置２２３を支持させることができ、演出表示装置２２３を遊技盤５に一体として、取り付け等にかかる手間を簡略化することができる。また、空間形成部材２２１の後側開口２２２を演出表示装置２２３により閉鎖することができ、空間形成部材２２１により形成される流通空間内に埃やゴミ等が進入するのを防止することができ、流通空間内で埃やゴミ等による不具合が発生するのを防止することができる。
【０１１２】
また、ベース本体２１１とベース枠体２１０との間に形成されるクリアランスを閉鎖する弾性部材２１８を備えており、ベース本体２１１の伸縮を許容すると共にベース本体２１１等が伸縮してもベース本体２１１とベース枠体２１０との間に隙間が形成されないので、ベース本体２１１とベース枠体２１０との境界が遊技領域３７内や案内レール７８内にあっても、遊技球の動きに影響を与えるのを可及的に低減させることができ、遊技球が本来意図しない動きをすることで遊技者の興趣を低下させてしまうのを防止することができる。
【０１１３】
更に、ベース本体２１１がベース枠体２１０の突出片２１３と前構成部材７９とで挟持されているので、パチンコ機１の廃棄等により分解する際に、遊技盤５からベース本体２１１を容易に分解することができ、廃棄等にかかる手間を簡略化することができる。また、接着剤やビス等を用いて直接ベース本体２１１をベース枠体２１０等に固定していないので、伸縮率の異なる材料でベース本体２１１やベース枠体２１０を構成しても、温度変化や経時変化等によりベース本体２１１等が歪んだりするのを防止することができる。つまり、ベース本体２１１を透明樹脂としても遊技盤５に不具合が発生するのを防止することができるので、透明なベース本体２１１により、遊技球の流下する遊技領域３７を狭めることなく、より大型の演出表示装置２２３を備えたパチンコ機１を実現させることができ、遊技者の興趣を高められるものとすることができる。
【０１１４】
また、弾性部材２１８をベース本体２１１とベース枠体２１０との間に膨張可能となるように配置しているので、これにより、ベース本体２１１が伸長したり収縮したりしても弾性部材２１８が圧縮変形や膨張変形することができると共に、ベース本体２１１の伸縮が一様でなくバラ付があっても各部分に応じて追従変形することができるので、隙間が形成されるのを確実に防止することができる。また、ベース本体２１１が伸長しても弾性部材２１８が圧縮変形することで、ベース本体２１１の伸長による応力がベース枠体２１０に伝達されるのを防止することができるので、ベース本体２１１の伸長によりベース本体２１１やベース枠体２１０が歪んだり、破損したりするのを防止することができ、遊技に支障がでるのを防止して遊技者の興趣が低下するのを抑制することができる。
【０１１５】
また、貫通口２１２とベース本体２１１との間に弾性部材２１８が配置されており、温度変化や経時変化等により透明樹脂板からなるベース本体２１１が伸縮しても、貫通口２１２の内周とベース本体２１１の外周とが直接当接して互いに押圧しあうのを防止して、ベース本体２１１に歪み等の応力がかかるのを防止することができるので、その応力によりベース本体２１１に干渉縞が発生するのを防止することができ、干渉縞によりベース本体２１１の後方側が見辛くなるのを防止することができる。
【０１１６】
更に、ベース本体２１１がベース枠体２１０と前構成部材７９とに挟持されるだけでなく、ベース枠体２１０の突出ピン２１４を嵌合や挿入する嵌合孔２１６や長孔２１７によっても固定することができるので、ベース本体２１１をより確実に固定することができ、ベース本体２１１が脱落したりガタついたりするのを防止することができる。また、嵌合孔２１６を一つとし長孔２１７を二つとしており、ベース本体２１１等が温度変化や経時変化等によって伸縮しても、長孔２１７において固定位置が可動（スライド）して伸縮が許容されるので、嵌合孔２１６や長孔２１７に応力などがかかるのを防止して、応力によりベース本体２１１やベース枠体２１０等が歪むのを防止することができる。
【０１１７】
また、ベース本体２１１、ベース枠体２１０、及び弾性部材２１８の前面を夫々略面一としているので、これにより、透明樹脂からなるベース本体２１１を遊技領域３７の一部とした場合でも、遊技領域３７内で前後方向に段差が生じるのを防止して、遊技球の動きを阻害するのをより一層防止することができ、遊技者の興趣が低下するのを防止することができる。
【０１１８】
更に、ベース本体２１１を形成する透明樹脂板の押出し方向が上下方向に対して交わる方向となるよう配置されているので、これにより、ベース本体２１１の後方に配置された演出表示装置２２３のドットマトリックスがベース本体２１１と干渉して、モアレが発生するのを可及的に抑制することができ、モアレにより演出表示装置２２３に表示される演出画像が見辛くなるのを防止することができる。
【０１１９】
また、ベース枠体２１０を、凹部２１５の形成により後面側から肉抜きされた形態に形成された樹脂材としているので、これにより、ベース枠体２１０を軽量化することができ、従来のベニア合板からなるものと比較して、遊技盤５の重量が増加するのを抑制することができる。
【０１２０】
更に、上記のようにベース本体２１１を透明樹脂で構成することによって起因するガタ付や歪み等の異常が発生するの効果的に防止することができるので、ベース本体２１１の後方に備えられた演出表示装置２２３等を用いて遊技者をより楽しませることができ、遊技者の興趣が低下するのを抑制することができる。
【０１２１】
なお、本例では、ベース本体２１１とベース枠体２１０との間に形成されたクリアランスに弾性部材２１８を備えたものを示したが、弾性部材２１８を備えていない遊技盤５としても良く、上記と同様にベース本体２１１が伸縮しても、遊技に支障がでるのを防止することができる。
【０１２２】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【０１２３】
すなわち、上記実施形態では、遊技機としてパチンコ機１に適用したものを示したが、これに限定するものではなく、パチスロ機や、パチンコ機とパチスロ機とを融合させてなる遊技機に、適用しても良く、この場合でも、上記と同様の作用効果を奏することができる。
【０１２４】
また、本実施形態では、ベース本体２１１の後面側に形成される空間（流通空間）を遊技領域としたものを示したが、例えば、この空間内に可動役物や、可動する可動装飾体等を配置するようにしても良く、遊技者の興趣を更に高められるパチンコ機１とすることができる。
【符号の説明】
【０１２５】
１  パチンコ機
５  遊技盤
１９  発射レール
３７  遊技領域
７６  外レール
７７  内レール
７８  案内レール
７９  前構成部材
２１０  ベース枠体
２１１  ベース本体
２１２  貫通口
２１３  突出片
２１４  突出ピン
２１５  凹部
２１６  嵌合孔（不動固定部）
２１７  長孔（可動固定部）
２１８  弾性部材
２２１  空間形成部材
２２２  開口
２２３  演出表示装置（演出表示手段）
【図１】
2011240184.tif 000003
【図２】
2011240184.tif 000004
【図３】
2011240184.tif 000005
【図４】
2011240184.tif 000006
【図５】
2011240184.tif 000007
【図６】
2011240184.tif 000008
【図７】
2011240184.tif 000009
【図８】
2011240184.tif 000010
【図９】
2011240184.tif 000011
【図１０】
2011240184.tif 000012
【図１１】
2011240184.tif 000013
【図１２】
2011240184.tif 000014
【図１３】
2011240184.tif 000015